(57)【要約】  見えないスクリューであって、必要な場合には再び取り外すことができるスクリューによって、壁と接続することができるガイドレールを完成させるために、スライドドア（１）のためのガイドレールであり、連続鋳造パターンとして形成された、下側面（２３）、上側面（２１）、二つの側壁部（１７，１９）および、下側面（２３）内に設けられ、側壁部（１７，１９）に対して平行に推移するスリット（２５）を有するハウジングを備え、かつ、ガイドレール（１５）の内部に前記スリット（２５）の側方に設けられた、走行機構（１５）のための転がり軌道（１３）を備えるガイドレールであって、前記転がり軌道に、スライドドア（１）がちょう架可能である、ガイドレールにおいて、上側面（２１）および下側面（２３）が、両側壁部（１７，１８）と共に長方形を形成し、この長方形が、走行機構（５）の垂直な力によって一時的に台形に弾性変形可能であることが提案される。
2013500407.tif 000002
【特許請求の範囲】
【請求項１】
スライドドア（１）のためのガイドレールであり、連続鋳造パターンとして形成された、下側面（２３）、上側面（２１）、二つの側壁部（１７，１９）および、下側面（２３）内に設けられ、側壁部（１７，１９）に対して平行に推移するスリット（２５）を有するハウジングを備え、かつ、ガイドレール（１５）の内部に前記スリット（２５）の側方に設けられた、走行機構（１５）のための転がり軌道（１３）を備えるガイドレールであって、前記転がり軌道に、スライドドア（１）がちょう架可能である、ガイドレールにおいて、
上側面（２１）および下側面（２３）が、両側壁部（１７，１８）と共に長方形を形成し、この長方形が、走行機構（５）の垂直な力によって一時的に台形に弾性変形可能であることを特徴とするガイドレール。
【請求項２】
両側壁部（１７，１９）内に、一列に並ぶ複数の対の孔部（２７，２９）が設けられており、その際、ガイドレール（１５）の固定の際に壁（３９）に最後に打ち付けられる孔部（２７）が、向かい合って位置しており、見ることのできる前方の側壁部（１９）の孔部よりも、小さな直径を有していることを特徴とする請求項１に記載のガイドレール。
【請求項３】
前方の側壁部（１９）の孔部（２９）が、カバー（３７）によって覆われることが可能であることを特徴とする請求項１または２に記載のガイドレール。
【請求項４】
カバー（３７）が、ロック溝（３５）により、ツール無しではめ込み可能であることを特徴とする請求項３に記載のガイドレール。
【発明の詳細な説明】
【技術分野】
【０００１】
本発明の対象は、請求項１の上位概念部に記載のスライドドアのためのガイドレールである。
【背景技術】
【０００２】
スライドドアのためのガイドレールは、住宅または事務所分野では、通常、アルミニウムから連続鋳造法によって製造される。ガイドレールの組立は、通常、居室や棚の天井部分に対して行われ、およびスクリューによる固定は、スリットを通して下方から簡単に行われる。このスリットは、ちょう架用ボルトを貫通させるのに使用される。ちょう架用ボルトには、ドアが走行機構とともに接続される。また、ガイドレールに対して両側にフランジを突出させ、このフランジを通してスクリューを垂直な壁の中に導くことによって、ガイドレールの側方からの固定を行うことも可能である。天井部に対する固定は、所定の場合、望まれていなかったり、または不可能であったりする。そして、見えるスクリューによるガイドレールの固定は、外観上受け入れられない。その上、公知のレールにおいては、スライドドアが和らげられずに衝突すると、その動作の結果、極めて強いモーメントが発生し、このモーメントによって大きな力がガイドレールに及ぶ。これは、固定スクリューの破損に通じる可能性がある。
【発明の概要】
【発明が解決しようとする課題】
【０００３】
よって、本発明の課題は、見えないスクリューであって、必要な場合には再び取り外すことができるスクリューによって、壁と接続することができるガイドレールを完成させることである。本発明の更なる課題は、スライドドアが、異なる壁強度に対してちょう架されることが可能であるよう、ガイドレールを形成することである。
【０００４】
本発明の更に別の課題は、ガイドレールの激しい衝突によって発生するトルク（Drehmoment）を、ガイドレールが、自身の弾性によって、弾性的に緩衝吸収することができるよう、ガイドレールを形成することである。
【課題を解決するための手段】
【０００５】
この課題は、請求項１に記載の特徴を有するガイドレールによって解決される。このガイドレールの有利な実施形は、従属請求項に記載される。
【０００６】
発明に従い、側壁部に、つまり、ガイドレールの垂直に位置するべき壁部に、孔部または貫通口を設けることに成功した。この孔部または貫通口が、固定スクリューの貫通を可能とする。前方の開口部、詳しく言うと、前方に位置する外から見ることのできる孔部は、組立の後、適切に形成されたカバーによって覆われるので、スクリュー処理全体は見ることができない。スライドドアは、その厚さに応じて、常に十分な遊びが壁とスライドドアの後方面との間に存在するように、走行機構によって接続されることが可能である。
【０００７】
図示した実施例に従い本発明を以下に詳細に説明する。
【図面の簡単な説明】
【０００８】
【図１】ガイドレールが固定される部屋または棚の壁部と、これにちょう架されるスライドドアの上方部分の垂直断面図。
【発明を実施するための形態】
【０００９】
図の断面図には、参照符号１がスライドドアに付されている。このスライドドアは、その上側の縁３で走行機構５と接続されている。走行機構５は、キャリア７と、これに回転可能に固定されるローラー９を備えている。走行機構５とスライドドア１の間には、スライドドア１の高さ調整の為の接続ボルト１１が設けられている。走行機構５の両ローラー９は、ガイドレール１５中の転がり軌道１３を押さえつける。断面が基本的に長方形に形成されたガイドレール１５は、アルミニウム連続鋳造によって作られたハウジングより形成されるが、後方の側壁部１７、前方の側壁部１９、上側面２１および下側面２３を有している。下側面内には、ガイドレール１５の長手方向に延びるスリット２５が設けられている。このスリットを通して、接続ボルト１１がガイドレール１５の内部に突出し、そしてキャリア９にはまり込んでいる。
【００１０】
後方の側壁部１７には、スクリュー穴部２７が第一の直径でもって設けられている。このスクリュー穴部が、スクリュー、好ましくはタッピングスクリューの貫通を可能としている。前方の側壁部１９には、後方の側壁部１３中の孔部２７と一列に並んだ同様の孔部２９が設けられている。これら孔部の直径は、スクリュー３３のスクリューヘッド３１の直径よりも大きい。前方の側壁部１７には、上方および下方の縁の領域中にロック溝３５が設けられている。このロック溝は、孔部１７を覆うためのカバー３７が固定されるのを可能としている。
【００１１】
ガイドレール１５の壁３９に対する固定は、簡単に行われることができる。前方の側壁部の孔部２９を通り、そして後方の側壁部１７中の孔部２７を通り、貫通案内される好ましくはタッピングスクリューによって、ガイドレールは「見えないように」壁３９に固定されることができる。実情に合わせて適合可能なカバー３７は、組立の後に孔部３９を覆う。スライドドア１の厚さｓに応じて、スライドドアは、壁３９に対する適当な間隔を有して、走行機構５に固定される。この走行機構は、ガイドレール１５の中でローラー７にガイドされている。
【００１２】
本発明に係るパターンの断面は、トルクによって及ぼされる力が、瞬時の弾性変形へと通じ、およびこれによって固定スクリューへの力が最少となるように形成されている。
【符号の説明】
【００１３】
1  スライドドア
3  上側の縁
5  走行機構
7  キャリア
9  ローラー
11 接続ボルト
13 転がり軌道
15 ガイドレール
17 側壁部
19 側壁部
21 上側面 
23 下側面
25 スリット
27 孔部
29 孔部
31 スクリューヘッド
33 スクリュー
35 ロック溝
37 カバー
39 壁 
【図１】
2013500407.tif 000003
【国際調査報告】
2013500407.tif 000004
2013500407.tif 000005
2013500407.tif 000006
2013500407.tif 000007